(57)【要約】【課題】、ＷＡＮに接続しなくてもフィード情報を取得できるＲＳＳリーダ（情報取得装置）、情報取得プログラム、及び、情報取得システムを提供すること。【解決手段】本発明によれば、自身がＷＡＮに接続可能である場合には、自身がＷＡＮに接続して前記コンテンツ要約情報を取得するよう設定する一方で、自身がＷＡＮに接続不可能である場合には、ＬＡＮ上にて通信可能に接続された他の情報取得装置が取得したコンテンツ要約情報を、該他の情報取得装置を介して取得するよう設定する。よって、ＬＡＮ内に配置される情報取得装置の全てをＷＡＮに接続させる必要がなく、ＷＡＮ側からの不正アクセスの可能性を低減でき、ＬＡＮ内のセキュリティを向上させることができると共に、個々の情報取得装置にコンテンツ要約情報を取得させるように構成した場合に比べ、回線負荷を軽減できる。【選択図】図１０
2010113438.tif 000002
【特許請求の範囲】
【請求項１】
コンテンツの位置情報と該コンテンツのタイトルとを少なくとも含みＷＡＮに位置するコンテンツ要約情報を取得するための情報取得装置であって、
本情報取得装置は、ＬＡＮにて、前記コンテンツ要約情報をＷＡＮ上の位置から直接又は間接的に取得可能な他の情報取得装置と通信可能に接続されており、
前記コンテンツ要約情報を取得する際の取得元を記憶する記憶手段と、
その記憶手段に記憶される取得元から前記コンテンツ要約情報を取得する情報取得手段と、
前記他の情報取得装置が取得可能な前記コンテンツ要約情報を検索する検索手段と、
その検索手段により検索された前記コンテンツ要約情報の少なくとも一部を設定対象として設定する対象設定手段と、
本情報取得装置がＷＡＮに接続可能であるか否かを判別する判別手段と、
その判別手段によって本情報取得装置がＷＡＮに接続可能であると判別された場合には、前記コンテンツ要約情報の位置情報を前記記憶手段に記憶することによって、本情報取得装置が、前記ＷＡＮ上の位置情報が示す位置に接続して前記コンテンツ要約情報を取得するよう設定する第１の取得設定手段と、
前記判別手段によって本情報取得装置がＷＡＮに接続不可能であると判別された場合には、前記対象設定手段により設定対象とされたコンテンツ要約情報を取得する他の情報取得装置を取得元として前記記憶手段に記憶することによって、該他の情報取得装置を介して前記コンテンツ要約情報を取得するよう設定する第２の取得設定手段とを備えていることを特徴とする情報取得装置。
【請求項２】
前記第２の取得設定手段は、
前記他の情報取得装置が前記コンテンツ要約情報を取得するタイミングを取得するタイミング取得手段と、
そのタイミング取得手段により取得したタイミングから所定期間後のタイミングで、該他の情報取得装置に接続して該コンテンツ要約情報を取得するよう設定する取得タイミング設定手段を含むことを特徴とする請求項１記載の情報取得装置。
【請求項３】
前記他の情報取得装置が前記第２の取得設定手段により取得元として前記記憶手段に記憶された場合に、該他の情報取得装置が前記コンテンツ要約情報を取得したことを報せる通知を待機する通知待機手段を備え、
前記情報取得手段は、前記通知を受信した場合に、前記通知に対応する前記他の情報取得装置に接続して該コンテンツ要約情報を取得することを特徴とする請求項１記載の情報取得装置。
【請求項４】
他の情報取得装置から、本情報取得装置を介して前記コンテンツ要約情報を取得するよう設定された場合に、前記コンテンツ要約情報の取得に伴い、取得したコンテンツ要約情報を該他の情報取得装置へ供給するコンテンツ要約情報供給手段を備えていることを特徴とする請求項１記載の情報取得装置。
【請求項５】
情報を表示可能な表示手段と、
前記情報取得手段により取得した前記コンテンツ要約情報に含まれる前記コンテンツの位置情報に基づき、該コンテンツの内容を閲覧する閲覧手段とを備え、
前記閲覧手段は、
前記判別手段によって本情報取得装置がＷＡＮに接続可能であると判別された場合には、前記情報取得手段により取得した前記コンテンツ要約情報に含まれる前記コンテンツの位置情報が示す位置に接続して、前記コンテンツの内容を前記表示手段に表示して閲覧する第１の閲覧手段と、
前記判別手段によって本情報取得装置がＷＡＮに接続不可能であると判別された場合には、前記情報取得手段により取得した前記コンテンツ要約情報に含まれる前記コンテンツの位置情報を、前記コンテンツの内容を取得可能に構成されている前記他の情報取得装置へ出力する出力手段と、
（１）その出力手段による前記コンテンツの位置情報の出力先である他の情報取得装置から該コンテンツを取得してその内容を前記表示手段に表示して閲覧する、又は、（２）前記出力手段による前記コンテンツの位置情報の出力先である他の情報取得装置の表示手段に該コンテンツの内容を表示させることによって閲覧する第２の閲覧手段とを含んで構成されることを特徴とする請求項１から４のいずれかに記載の情報取得装置。
【請求項６】
コンテンツの位置情報と該コンテンツのタイトルとを少なくとも含みＷＡＮに位置するコンテンツ要約情報を取得するための情報取得装置を機能させる情報取得プログラムであって、
本情報取得装置は、ＬＡＮにて、前記コンテンツ要約情報をＷＡＮ上の位置から直接又は間接的に取得可能な他の情報取得装置と通信可能に接続されていると共に、前記コンテンツ要約情報を取得する際の取得元を記憶する記憶手段を有しており、
前記記憶手段に記憶される取得元から前記コンテンツ要約情報を取得する情報取得ステップと、
前記他の情報取得装置が取得可能な前記コンテンツ要約情報を検索する検索ステップと、
その検索ステップにおいて検索された前記コンテンツ要約情報の少なくとも一部を設定対象として設定する対象設定ステップと、
本情報取得装置がＷＡＮに接続可能であるか否かを判別する判別ステップと、
その判別ステップにおいて本情報取得装置がＷＡＮに接続可能であると判別された場合には、前記コンテンツ要約情報の位置情報を前記記憶手段に記憶することによって、本情報取得装置が、前記ＷＡＮ上の位置情報が示す位置に接続して前記コンテンツ要約情報を取得するよう設定する第１の取得設定ステップと、
前記判別ステップにおいて本情報取得装置がＷＡＮに接続不可能であると判別された場合には、前記対象設定ステップにおいて設定対象とされたコンテンツ要約情報を取得する他の情報取得装置を取得元として前記記憶手段に記憶することによって、該他の情報取得装置を介して前記コンテンツ要約情報を取得するよう設定する第２の取得設定ステップとを備えていることを特徴とする情報取得プログラム。
【請求項７】
コンテンツの位置情報と該コンテンツのタイトルとを少なくとも含みＷＡＮに位置するコンテンツ要約情報を取得するための情報取得装置の複数がＬＡＮにて互いに通信可能に接続された情報取得システムであって、
本情報取得システムを構成する各情報取得装置は、
前記コンテンツ要約情報を取得する際の取得元を記憶する記憶手段と、
その記憶手段に記憶される取得元から前記コンテンツ要約情報を取得する情報取得手段と、
他の情報取得装置がＷＡＮ上の位置から直接又は間接的に取得可能な前記コンテンツ要約情報を検索する検索手段と、
その検索手段により検索された前記コンテンツ要約情報の少なくとも一部を設定対象として設定する対象設定手段と、
本情報取得装置がＷＡＮに接続可能であるか否かを判別する判別手段と、
その判別手段によって本情報取得装置がＷＡＮに接続可能であると判別された場合には、前記コンテンツ要約情報の位置情報を前記記憶手段に記憶することによって、本情報取得装置が、前記ＷＡＮ上の位置情報が示す位置に接続して前記コンテンツ要約情報を取得するよう設定する第１の取得設定手段と、
前記判別手段によって本情報取得装置がＷＡＮに接続不可能であると判別された場合には、前記対象設定手段により設定対象とされたコンテンツ要約情報を取得する他の情報取得装置を取得元として前記記憶手段に記憶することによって、該他の情報取得装置を介して前記コンテンツ要約情報を取得するよう設定する第２の取得設定手段とを備えていることを特徴とする情報取得システム。
【発明の詳細な説明】
【技術分野】
【０００１】
本発明は、情報取得装置、情報取得プログラム、及び情報取得システムに関するものである。
【背景技術】
【０００２】
ネットワーク上にて公開されるコンテンツ（例えば、Ｗｅｂサイト）のタイトル及びＵＲＬ（Ｕｎｉｆｏｒｍ  Ｒｅｓｏｕｒｓｅ  Ｌｏｃａｔｏｒ）を含むコンテンツ要約情報を配信するサーバが存在する。例えば、コンテンツ要約情報の１つであるフィード情報を、ＲＳＳ（Ｒｅｓｏｕｒｃｅ  Ｄｅｓｃｒｉｐｔｉｏｎ  Ｆｒａｍｅｗｏｒｋ  Ｓｉｔｅ  Ｓｕｍｍａｒｙ）形式で配信するＲＳＳサーバが存在する。
【０００３】
特許文献１には、複数のＲＳＳサーバからＲＳＳ形式のフィード情報（ＲＳＳフィード情報）を取得するリーダ（ＲＳＳリーダ）が記載されている。特許文献１に記載されるＲＳＳリーダは、ＲＳＳサーバから取得したＲＳＳフィードのタイトルと共に、各タイトルに対応するコンテンツへのリンクボタンを表示装置に一覧表示し、ユーザが所望のリンクボタンを選択した場合に、対応するコンテンツを表示する。
【特許文献１】特開２００８−１６５６９２号公報
【発明の開示】
【発明が解決しようとする課題】
【０００４】
ところで、１のＬＡＮ（Ｌｏｃａｌ  Ａｒｅａ  Ｎｅｔｗｏｒｋ）上に複数のＲＳＳリーダを設け、ＷＡＮ（Ｗｉｄｅ  Ａｒｅａ  Ｎｅｔｗｏｒｋ）上のＲＳＳサーバからフィード情報を取得する構成とした場合、セキュリティの観点から、１のＬＡＮを構成する複数のＲＳＳリーダの全てをＷＡＮに接続させないようにすることが好ましい。
【０００５】
しかし、ＷＡＮに接続できないＲＳＳリーダは、ＬＡＮのセキュリティを向上させることができる一方で、ＲＳＳサーバからフィード情報を取得することができないという問題を生じる。
【０００６】
本発明は、上述した事情を鑑みてなされたものであり、ＷＡＮに接続しなくてもフィード情報を取得できるＲＳＳリーダ（情報取得装置）、情報取得プログラム、及び、情報取得システムを提供することを目的とする。
【課題を解決するための手段】
【０００７】
この目的を解決するために、請求項１記載の情報取得装置は、コンテンツの位置情報と該コンテンツのタイトルとを少なくとも含みＷＡＮに位置するコンテンツ要約情報を取得するための装置であって、本情報取得装置は、ＬＡＮにて、前記コンテンツ要約情報をＷＡＮ上の位置から直接又は間接的に取得可能な他の情報取得装置と通信可能に接続されており、前記コンテンツ要約情報を取得する際の取得元を記憶する記憶手段と、その記憶手段に記憶される取得元から前記コンテンツ要約情報を取得する情報取得手段と、前記他の情報取得装置が取得可能な前記コンテンツ要約情報を検索する検索手段と、その検索手段により検索された前記コンテンツ要約情報の少なくとも一部を設定対象として設定する対象設定手段と、本情報取得装置がＷＡＮに接続可能であるか否かを判別する判別手段と、その判別手段によって本情報取得装置がＷＡＮに接続可能であると判別された場合には、前記コンテンツ要約情報の位置情報を前記記憶手段に記憶することによって、本情報取得装置が、前記ＷＡＮ上の位置情報が示す位置に接続して前記コンテンツ要約情報を取得するよう設定する第１の取得設定手段と、前記判別手段によって本情報取得装置がＷＡＮに接続不可能であると判別された場合には、前記対象設定手段により設定対象とされたコンテンツ要約情報を取得する他の情報取得装置を取得元として前記記憶手段に記憶することによって、該他の情報取得装置を介して前記コンテンツ要約情報を取得するよう設定する第２の取得設定手段とを備えている。
【０００８】
請求項２記載の情報取得装置は、請求項１記載の情報取得装置において、前記第２の取得設定手段は、前記他の情報取得装置が前記コンテンツ要約情報を取得するタイミングを取得するタイミング取得手段と、そのタイミング取得手段により取得したタイミングから所定期間後のタイミングで、該他の情報取得装置に接続して該コンテンツ要約情報を取得するよう設定する取得タイミング設定手段を含む。
【０００９】
請求項３記載の情報取得装置は、請求項１記載の情報取得装置において、前記他の情報取得装置が前記第２の取得設定手段により取得元として前記記憶手段に記憶された場合に、該他の情報取得装置が前記コンテンツ要約情報を取得したことを報せる通知を待機する通知待機手段を備え、前記情報取得手段は、前記通知を受信した場合に、前記通知に対応する前記他の情報取得装置に接続して該コンテンツ要約情報を取得する。
【００１０】
請求項４記載の情報取得装置は、請求項１記載の情報取得装置において、他の情報取得装置から、本情報取得装置を介して前記コンテンツ要約情報を取得するよう設定された場合に、前記コンテンツ要約情報の取得に伴い、取得したコンテンツ要約情報を該他の情報取得装置へ供給するコンテンツ要約情報供給手段を備えている。
【００１１】
請求項５記載の情報取得装置は、請求項１から４のいずれかに記載の情報取得装置において、情報を表示可能な表示手段と、前記情報取得手段により取得した前記コンテンツ要約情報に含まれる前記コンテンツの位置情報に基づき、該コンテンツの内容を閲覧する閲覧手段とを備え、前記閲覧手段は、前記判別手段によって本情報取得装置がＷＡＮに接続可能であると判別された場合には、前記情報取得手段により取得した前記コンテンツ要約情報に含まれる前記コンテンツの位置情報が示す位置に接続して、前記コンテンツの内容を前記表示手段に表示して閲覧する第１の閲覧手段と、前記判別手段によって本情報取得装置がＷＡＮに接続不可能であると判別された場合には、前記情報取得手段により取得した前記コンテンツ要約情報に含まれる前記コンテンツの位置情報を、前記コンテンツの内容を取得可能に構成されている前記他の情報取得装置へ出力する出力手段と、（１）その出力手段による前記コンテンツの位置情報の出力先である他の情報取得装置から該コンテンツを取得してその内容を前記表示手段に表示して閲覧する、又は、（２）前記出力手段による前記コンテンツの位置情報の出力先である他の情報取得装置の表示手段に該コンテンツの内容を表示させることによって閲覧する第２の閲覧手段とを含んで構成される。
【００１２】
請求項６記載の情報取得プログラムは、コンテンツの位置情報と該コンテンツのタイトルとを少なくとも含みＷＡＮに位置するコンテンツ要約情報を取得するための情報取得装置を機能させるプログラムであって、本情報取得装置は、ＬＡＮにて、前記コンテンツ要約情報をＷＡＮ上の位置から直接又は間接的に取得可能な他の情報取得装置と通信可能に接続されていると共に、前記コンテンツ要約情報を取得する際の取得元を記憶する記憶手段を有しており、前記記憶手段に記憶される取得元から前記コンテンツ要約情報を取得する情報取得ステップと、前記他の情報取得装置が取得可能な前記コンテンツ要約情報を検索する検索ステップと、その検索ステップにおいて検索された前記コンテンツ要約情報の少なくとも一部を設定対象として設定する対象設定ステップと、本情報取得装置がＷＡＮに接続可能であるか否かを判別する判別ステップと、その判別ステップにおいて本情報取得装置がＷＡＮに接続可能であると判別された場合には、前記コンテンツ要約情報の位置情報を前記記憶手段に記憶することによって、本情報取得装置が、前記ＷＡＮ上の位置情報が示す位置に接続して前記コンテンツ要約情報を取得するよう設定する第１の取得設定ステップと、前記判別ステップにおいて本情報取得装置がＷＡＮに接続不可能であると判別された場合には、前記対象設定ステップにおいて設定対象とされたコンテンツ要約情報を取得する他の情報取得装置を取得元として前記記憶手段に記憶することによって、該他の情報取得装置を介して前記コンテンツ要約情報を取得するよう設定する第２の取得設定ステップとを備えている。
【００１３】
請求項７記載の情報取得システムは、コンテンツの位置情報と該コンテンツのタイトルとを少なくとも含みＷＡＮに位置するコンテンツ要約情報を取得するための情報取得装置の複数がＬＡＮにて互いに通信可能に接続されたシステムであって、本情報取得システムを構成する各情報取得装置は、前記コンテンツ要約情報を取得する際の取得元を記憶する記憶手段と、その記憶手段に記憶される取得元から前記コンテンツ要約情報を取得する情報取得手段と、他の情報取得装置がＷＡＮ上の位置から直接又は間接的に取得可能な前記コンテンツ要約情報を検索する検索手段と、その検索手段により検索された前記コンテンツ要約情報の少なくとも一部を設定対象として設定する対象設定手段と、本情報取得装置がＷＡＮに接続可能であるか否かを判別する判別手段と、その判別手段によって本情報取得装置がＷＡＮに接続可能であると判別された場合には、前記コンテンツ要約情報の位置情報を前記記憶手段に記憶することによって、本情報取得装置が、前記ＷＡＮ上の位置情報が示す位置に接続して前記コンテンツ要約情報を取得するよう設定する第１の取得設定手段と、前記判別手段によって本情報取得装置がＷＡＮに接続不可能であると判別された場合には、前記対象設定手段により設定対象とされたコンテンツ要約情報を取得する他の情報取得装置を取得元として前記記憶手段に記憶することによって、該他の情報取得装置を介して前記コンテンツ要約情報を取得するよう設定する第２の取得設定手段とを備えている。
【発明の効果】
【００１４】
請求項１記載の情報取得装置によれば、自身がＷＡＮに接続できない場合には、ＬＡＮ上の他の情報取得装置を介してコンテンツ要約情報を取得することができる。よって、ＬＡＮ内にてＷＡＮに接続できないように設定された情報取得装置であってもコンテンツ要約情報を取得することができるので、ＬＡＮ内に配置される情報取得装置の全てをＷＡＮに接続させる必要がなく、ＷＡＮ側からの不正アクセスの可能性を低減でき、ＬＡＮ内のセキュリティを向上させることができるという効果がある。また、ＬＡＮ内に配置される情報取得装置の全てをＷＡＮに接続させる必要がないので、個々の情報取得装置にコンテンツ要約情報を取得させるように構成した場合に比べ、回線負荷を軽減できるという効果がある。
【００１５】
また、自身がＷＡＮに接続できない場合には、検索により得られた他の情報取得装置が取得可能なコンテンツ要約情報の中から、他の情報取得装置を介して取得するコンテンツ要約情報を設定できるので、所望のコンテンツ要約情報を取得している他の情報取得装置を探したり、他の情報取得装置からコンテンツ要約情報を取得するための接続先（即ち、コンテンツ要約情報の位置）の設定を１つ１つ行う必要がなく、容易に設定できるという効果がある。
【００１６】
請求項２記載の情報処理装置によれば、請求項１記載の情報処理装置の奏する効果に加えて、次の効果を奏する。本情報取得装置が他の情報取得装置に接続してコンテンツ要約情報を取得するタイミングを、該他の情報取得装置がコンテンツ要約情報を取得するタイミングより後のタイミングに設定されるので、コンテンツ要約情報の取り損ねを防止できるという効果を奏する。
【００１７】
請求項３記載の情報処理装置によれば、請求項１記載の情報処理装置の奏する効果に加えて、次の効果を奏する。他の情報取得装置から、該他の情報取得装置が前記コンテンツ要約情報を取得したことを報せる通知を受けた場合に、該他の情報装置に接続してコンテンツ要約情報を取得する構成であるので、該通知を受けた後の適当なタイミングでコンテンツ要約情報を取得することができる。よって、コンテンツ要約情報の取り損ねを防止できるという効果がある。
【００１８】
請求項４記載の情報取得装置によれば、請求項１記載の情報処理装置の奏する効果に加えて、次の効果を奏する。本情報取得装置は、コンテンツ要約情報の取得に伴って、取得したコンテンツ要約情報を他の情報取得装置へ供給するので、他の情報取得装置が本情報取得装置を介してコンテンツ要約情報を取得しようとする場合に、他の情報取得装置に、本情報取得装置が取得したタイミングと近いタイミングでコンテンツ要約情報を取得させることができるという効果がある。
【００１９】
請求項５記載の情報取得装置によれば、請求項１から４のいずれかに記載の情報取得装置の奏する効果に加えて、次の効果を奏する。自身がＷＡＮに接続できず、コンテンツ要約情報に対応するコンテンツをＷＡＮ上から直接取得することができない場合であっても、該コンテンツを取得可能な他の情報取得装置を介して取得したり、該コンテンツを取得可能な他の装置に内容を表示させたりすることができるので、コンテンツ要約情報の中から閲覧を所望するコンテンツの内容を確認することができる。
【００２０】
請求項６記載の情報取得プログラムによれば、請求項１記載の情報取得装置と同様の効果を奏する。また、請求項７記載の情報取得システムによれば、請求項１記載の情報取得装置と同様の効果を奏する。
【発明を実施するための最良の形態】
【００２１】
以下、本発明の好ましい一実施形態について、添付図面を参照して説明する。図１は、本発明における通信システムの一実施形態である多機能機システム２を示す概略である。多機能機システム２は、複数の多機能機１０と、これらの複数の多機能機１０を接続するＬＡＮ回線４とを含んで構成される。
【００２２】
なお、図１では、４台の多機能機１０（１０Ａ，１０Ｂ，１０Ｃ，１０Ｄにより区別される）を含んで構成される多機能機システム２を例示したが、多機能機システム２に含まれる多機能機１０の数は複数であれば適宜変更することができる。
【００２３】
図１に示すように、多機能機システム２のＬＡＮ回線４は、ルータ６を介してＷＡＮ回線８に接続されている。このルータ６の設定に応じて、多機能機１０Ａ〜１０Ｄの一部をＷＡＮ回線８に接続できないようにすることができる。
【００２４】
本実施形態では、４台の多機能機１０Ａ〜１０Ｄのうち、多機能機１０Ｃ，１０ＤがＷＡＮ回線８に接続可能であり、多機能機１０Ａ，１０ＢがＷＡＮ回線８に接続できないように、ルータ６が設定されている。このように、ＬＡＮ回線４に接続される多機能機１０Ａ〜１０Ｄの全てをＷＡＮ回線８に接続させないことによって、ＷＡＮ回線８側からの不正アクセスの可能性を低減できるので、ＬＡＮ回線４内のセキュリティが向上する。
【００２５】
ＷＡＮ回線８には、複数のコンテンツ提供サーバ９０，９１が接続されている。なお、図１では、２つのコンテンツ提供サーバ９０，９１がＷＡＮ回線８に接続されるのみであるが、コンテンツ提供サーバの数は適宜変更することができる。
【００２６】
本実施形態では、コンテンツ提供サーバ９０が１つのサイトを公開しており、コンテンツ提供サーバ９１が１つのサイトを公開している。各サイトは、複数のコンテンツを含んでいる。また、各コンテンツ提供サーバ９０，９１は、自身のサイトが含んでいる複数のコンテンツの要約情報であるフィード情報（ＲＳＳ形式のフィード情報）を記憶している。これらの情報の具体的な内容については、後で詳しく説明する。
【００２７】
図２は、多機能機１０の構成を示すブロック図である。詳細は後述するが、本実施形態の多機能機１０は、ＦＡＸ受信のために常時電源が入っている。また、所定の更新時刻毎に、予め登録されたＵＲＬ（コンテンツＵＲＬ）にアクセスし、コンテンツ提供サーバ９０，９１からフィード情報を取得することができるように構成されている。
【００２８】
また、多機能機システム２を構成する各多機能機１０（１０Ａ，１０Ｂ，１０Ｃ，１０Ｄ）は、自身がＷＡＮ回線８に接続できるよう設定されている場合には、自身がＷＡＮ回線８側のコンテンツ提供サーバ９０，９１に接続してフィード情報を取得するが、自身がＷＡＮ回線８に接続できないよう設定されている場合には、ＷＡＮ回線８に接続可能な他の多機能機を介して、該他の多機能機が取得したフィード情報を取得するように構成されている。
【００２９】
多機能機１０（１０Ａ〜１０Ｄ）は、制御部１２と、表示パネル５０と、キーパッド５２と、印刷部５４と、スキャン部５６と、ＦＡＸ部５８と、ネットワークインターフェイス６０と、ＰＳＴＮインターフェイス６２とを有する。制御部１２は、ＣＰＵ１４と、ＲＯＭ１６と、ＲＡＭ１８と、ＮＶＲＡＭ２０とを有する。
【００３０】
ＣＰＵ１４は、ＲＯＭ１６に記憶されている各プログラム（プログラム１６ａ〜１６ｆ）に従って様々な処理を実行する。ＲＯＭ１６は、基本機能プログラム１６ａと、フィード情報解析プログラム１６ｂと、フィード情報表示プログラム１６ｃと、ＷＡＮ接続プログラム１６ｄと、ブラウザプログラム１６ｅと、ＵＲＬ登録プログラム１６ｆとを記憶している。
【００３１】
基本機能プログラム１６ａは、多機能機１０の基本的な動作を制御するためのプログラムである。基本機能プログラム１６ａは、例えば、表示パネル５０に表示される表示データを生成するためのプログラムを含んでいる。また、基本機能プログラム１６ａは、例えば、印刷部５４、スキャン部５６、ＦＡＸ部５８等を制御するためのプログラムを含んでいる。
【００３２】
フィード情報解析プログラム１６ｂは、コンテンツ提供サーバ９０，９１から取得されるフィード情報を解析し、表示パネル５０で表示するための情報（以下、「表示情報」と称する）を作成するためのプログラムである。フィード情報表示プログラム１６ｃは、表示情報を表示するためのプログラムである。ＷＡＮ接続プログラム１６ｄは、ＷＡＮ回線８に接続するためのプログラムである。ブラウザプログラム１６ｅは、Ｗｅｂページを閲覧するためのプログラムである。
【００３３】
ＵＲＬ登録プログラム１６ｆは、各コンテンツ提供サーバ９０，９１が有するフィード情報のＵＲＬを登録するためのプログラムである。詳細は後述するが、このＵＲＬ登録プログラム１６ｆにより実行される処理により、自身がＷＡＮ回線８に接続できる設定であるか否かに応じて、自身がコンテンツ提供サーバ９０，９１から直接フィード情報を取得するか、他の多機能機を介して間接的にフィード情報を取得するかが設定される。
【００３４】
ＲＡＭ１８は、基本機能ワーク領域１８ａと、フィード情報解析ワーク領域１８ｂと、表示情報記憶領域１８ｃと、取得リストメモリ１８ｄと、選択メモリ１８ｅとを有する。基本機能ワーク領域１８ａは、基本機能プログラム１６ａに従って処理が実行される過程で生成される各種データを記憶するための記憶領域である。
【００３５】
フィード情報解析ワーク領域１８ｂは、フィード情報解析プログラム１６ｂに従って処理が実行される過程で作成される各種データを記憶するための記憶領域である。表示情報記憶領域１８ｃは、フィード情報解析プログラム１６ｃに従って作成される表示情報を記憶するための記憶領域である。
【００３６】
取得リストメモリ１８ｄは、他の多機能機１０のＵＲＬ記憶領域１８ｂに記憶されるフィード情報のＵＲＬ（以下、「フィード情報ＵＲＬ」と称する）のリストを取得した場合に、提供元の多機能機と、該リストの情報ＩＤとを対応付けて記憶するためのメモリである。選択メモリ１８ｅは、取得リストメモリ１８ｄに記憶されているリストの中から、ユーザによって選択されたフィード情報ＵＲＬを記憶するためのメモリである。
【００３７】
ＮＶＲＡＭ２０は、基本機能パラメータ記憶領域２０ａと、ＵＲＬ記憶領域２０ｂと、ＲＳＳ設定情報記憶領域２０ｃとを有する。基本機能パラメータ記憶領域２０ａは、ＣＰＵ１４が基本機能プログラム１６ａに従って処理を実行する際に利用される各種パラメータ（例えば印刷設定、スキャン設定等）を記憶するための記憶領域である。ＵＲＬ記憶領域１８ｂは、各コンテンツ提供サーバ９０，９１が有するフィード情報ＵＲＬを記憶するための記憶領域である。
【００３８】
詳細は後述するが、本実施形態の多機能機１０（１０Ａ〜１０Ｄ）は、自身がＷＡＮ回線８に接続できるよう設定されている場合には、コンテンツ提供サーバ９０，９１内におけるフィード情報の位置を示すＵＲＬ（例えば、スキームが「ｈｔｔｐ」であるＵＲＬ）がフィード情報ＵＲＬとして登録される一方で、自身がＷＡＮ回線８に接続できないよう設定されている場合には、当該フィード情報を取得可能な他の多機能機１０を示すＵＲＬ（本実施形態では、スキームが「ｍｆｃ」であるＵＲＬ）がフィード情報ＵＲＬとして登録される。
【００３９】
ＲＳＳ設定情報記憶領域２０ｃは、コンテンツ提供サーバ９０，９１（本実施形態では、スキームが「ｈｔｔｐ」であるコンテンツ情報ＵＲＬ）を参照するタイミング（以下、「参照タイミング」と称する）を記憶するための記憶領域である。このＲＳＳ設定情報記憶領域２０ｃに記憶される参照タイミングは、ユーザの必要に応じて適宜変更することができる。
【００４０】
なお、本実施形態の多機能機１０（１０Ａ〜１０Ｄ）は、ＲＳＳ設定情報記憶領域２０ｃに記憶される参照タイミングとは別に、ＵＲＬ記憶領域１８ｂに記憶されるフィード情報ＵＲＬ毎に専用の参照タイミングを設定することもできるように構成されている。１のフィード情報ＵＲＬに対し専用の参照タイミングを設定する場合には、ＵＲＬ記憶領域１８ｂにおいて１のフィード情報ＵＲＬに対応付けて参照タイミングが記憶される。ＵＲＬ記憶領域１８ｂにおいて参照タイミングが対応付けられていないフィード情報ＵＲＬに対する参照タイミングは、ＲＳＳ設定情報記憶領域２０ｃに記憶される参照タイミングとされる。
【００４１】
表示パネル５０は、様々な情報を表示することができる表示装置であると共に、タッチパネルとしても機能する。キーパッド５２は、複数のキーによって構成される。ユーザは、キーパッド５２を操作することによって様々な指示や情報を多機能機１０に入力することができる。
【００４２】
印刷部５４は、インクジェットタイプ、レーザタイプ等の印刷機構を有する。スキャン部５６は、ＣＣＤ、ＣＩＳ等の読取機構を有する。ＦＡＸ部５８は、ＦＡＸ通信を実行するための各種動作を実行する。ネットワークインターフェイス６０は、ＬＡＮ回線４に接続されている。４台の多機能機１０（１０Ａ〜１０Ｄ）は、互いにどの多機能機とも通信可能とされている。
【００４３】
ＰＳＴＮインターフェイス６２は、図示省略しているＰＳＴＮ（Ｐｕｂｌｉｃ  Ｓｗｉｔｃｈｅｄ  Ｔｅｌｅｐｈｏｎｅ  Ｎｅｔｗｏｒｋ）に接続されている。ＰＳＴＮは、ＦＡＸ通信や電話通信を行なう際に利用される。
【００４４】
次に、図３（ａ）及び図３（ｂ）を参照して、ＮＶＲＡＭ２０のＵＲＬ記憶領域２０ｂ（図２参照）の記憶内容について説明する。図３は、ＵＲＬ記憶領域２０ｂの記憶内容の一例を示す模式図である。より具体的には、図３（ａ）は、ＷＡＮ回線８に接続可能な多機能機（この例では、多機能機１０Ｃ）におけるＵＲＬ記憶領域２０ｂの記憶内容の一例を示す模式図であり、図３（ｂ）は、ＷＡＮ回線８に接続できない多機能機（この例では、多機能機１０Ａ）におけるＵＲＬ記憶領域２０ｂの記憶内容の一例を示す模式図である。
【００４５】
ＵＲＬ記憶領域２０ｂは、１のフィード情報毎に、フィード情報を配信するサイトのタイトル１０１と、フィード情報ＵＲＬ１０２と、二次配布先１０３と、方法１０４と、参照タイミング１０５とを対応付けて記憶する領域である。ＵＲＬ記憶領域２０ｂ内において、各フィード情報は、符号「ｉ」により表される識別番号１００と対応付けられている。図３（ａ）に示す例では、ｎ個のフィード情報が記憶されている。また、図３（ｂ）に示す例では、ｎ’個のフィード情報が記憶されている。
【００４６】
図３（ａ）に示すように、ＷＡＮ回線８に接続可能な多機能機１０Ｃでは、フィード情報ＵＲＬ１０２として、コンテンツ提供サーバ９０，９１内におけるフィード情報の位置を示すＵＲＬが記憶される。一方、ＷＡＮ回線８に接続できない多機能機１０Ａでは、図３（ｂ）に示すように、ＷＡＮ回線８に接続可能な他の多機能機１０Ｃ，１０Ｄにおけるフィード情報の位置（格納領域）を示すＵＲＬが記憶される。
【００４７】
詳細は後述するが、フィード情報ＵＲＬ１０２として、ＬＡＮ回線４に接続される他の多機能機のＵＲＬが格納されている場合には、その多機能機自体はサイトタイトル１０１のフィード情報を提供元のコンテンツ提供サーバ（９０又は９１）から直接取得せず、ＵＲＬに対応する他の多機能機が提供元のコンテンツ提供サーバから取得したサイトタイトル１０１のフィード情報を、該他の多機能機を介して間接的に取得する。
【００４８】
図３（ｂ）に示す例によれば、多機能機１０Ａは、サイトタイトル１０１が「ＣＣＣ」であるフィード情報ＵＲＬ１０２は、多機能機１０ＣのＵＲＬである「ｍｆｃ：Ｎｅｉｇｈｂｏｒｓ１０Ｃ／ｌｉｓｔＸＸＸ」である。よって、多機能機１０Ａは、サイトタイトル１０１が「ＣＣＣ」であるサイトのフィード情報を、提供元のコンテンツ提供サーバ（９０又は９１）から直接取得せず、多機能機１０Ｃを介して間接的に取得する。
【００４９】
また、図３（ｂ）に示す例によれば、多機能機１０Ａは、サイトタイトル１０１が「ＤＤＤ」及び「ＥＥＥ」であるサイトのフィード情報を、提供元のコンテンツ提供サーバ（９０又は９１）から直接取得せず、多機能機１０Ｄを介して間接的に取得する。
【００５０】
二次配布先１０３は、ＷＡＮ回線８に接続可能な多機能機（本実施形態では、多機能機１０Ｃ，１０Ｄ）がコンテンツ提供サーバ９０，９１から取得したフィード情報を二次配布する先のＵＲＬである。図３（ａ）に示す例では、「ｍｆｃ：Ｎｅｉｇｈｂｏｒｓ１０Ａ」及び「ｍｆｃ：Ｎｅｉｇｈｂｏｒｓ１０Ｂ」が二次配布先のＵＲＬである。詳細は後述するが、この二次配布先１０３は、ＷＡＮ回線８に接続できない多機能機（本実施形態では、多機能機１０Ａ，１０Ｂ）からの命令に基づいて設定される。
【００５１】
図３（ａ）に示す例によれば、多機能機１０Ｃは、サイトタイトル１０１が「ＡＡＡ」及び「ＢＢＢ」であるサイトのフィード情報を取得した場合には、取得したフィード情報を、二次配布先１０３である多機能機１０Ｂ（ｍｆｃ：Ｎｅｉｇｈｂｏｒｓ１０Ｂ）へ二次配布する。また、多機能機１０Ｃは、サイトタイトル１０１が「ＣＣＣ」であるサイトのフィード情報を取得した場合には、取得したフィード情報を、二次配布先１０３である多機能機１０Ａ（ｍｆｃ：Ｎｅｉｇｈｂｏｒｓ１０Ａ）へ二次配布する。
【００５２】
なお、後述する方法１０４が空欄である場合、即ち、取得側（二次配布される側）の多機能機が参照タイミング毎に、二次配布する側の多機能機へアクセスしてフィード情報を取得する場合には、二次配布先となる多機能機のＵＲＬを登録する必要はないので、空欄のままにする。
【００５３】
方法１０４は、フィード情報を二次配布する場合の配布方法、又は、フィード情報を他の多機能機から取得する場合の取得方法である。配布方法及び取得方法はいずれも、（１）取得側（二次配布される側）の多機能機が参照タイミング（参照タイミング１０５又は参照タイミング１１１）毎に、二次配布する側の多機能機へアクセスして取得するか、（２）二次配布する側の多機能機がコンテンツ提供サーバ９０，９１からフィード情報を取得したときにシグナルを二次配布する側の多機能機へ送信し、シグナルを受信した多機能機が該二次配布する側の多機能機へアクセスして取得するか、（３）二次配布する側の多機能機がコンテンツ提供サーバ９０，９１から取得したフィード情報を自動的に二次配布し、かかる二次配布されたフィード情報を受信することによって取得するかのいずれかである。
【００５４】
上記（１）の場合には、方法１０４は空欄であり、上記（２）の場合には、方法１０４は「ｓｉｇｎａｌ」であり、上記（３）の場合には、方法１０４は「ｄａｔａ」である。なお、二次配布先が複数ある場合には、方法１０４は個々に設定される。
【００５５】
なお、本実施形態では、方法１０４は、コンテンツ提供サーバ９０，９１からフィード情報を直接ではなく間接的に取得する多機能機（即ち、ＷＡＮ回線８に接続できない多機能機）の設定に応じて適宜変更されるよう構成されている。よって、例えば、ＷＡＮ回線８に接続できない多機能機１０Ａが、フィード情報の取得方法を変更した場合には、その設定変更は他の多機能機へ通知され、多機能機１０Ａへフィード情報を二次配布する多機能機における対応する方法１０４が変更される。
【００５６】
参照タイミング１０５は、１のフィード情報ＵＲＬ１０２に対する専用の参照タイミングである。参照タイミング１０５が対応付けられているフィード情報ＵＲＬ１０２は、ＲＳＳ設定情報記憶領域２０ｃに格納される参照タイミング１１１とは無関係に、参照タイミング１０５のタイミングでフィード情報ＵＲＬ１０２をアクセスしてフィード情報を取得する。例えば、図３（ｂ）に示す例によれば、多機能機１０Ａは、サイトタイトル１０１が「ＣＣＣ」であるフィード情報ＵＲＬ１０２（即ち、多機能機１０Ｃ）を「１時間毎／３５分（具体的には、毎時３５分）」の参照タイミング１０５で参照（アクセス）して、フィード情報を取得する。なお、多機能機システム２に含まれる多機能機の中には、参照タイミング１０５を設定できない多機能機があってもよい。
【００５７】
次に、図４を参照して、ＮＶＲＡＭ２０のＲＳＳ設定情報記憶領域２０ｃ（図２参照）の記憶内容について説明する。図４は、ＲＳＳ設定情報記憶領域２０ｃの記憶内容の一例を示す模式図である。
【００５８】
ＲＳＳ設定情報記憶領域２０ｃは、フィード情報ＵＲＬ１０２を参照するタイミングである参照タイミング１１１を記憶する領域である。上述したＵＲＬ記憶領域２０ｂ（図３参照）に記憶されるフィード情報ＵＲＬ１０２のうち、参照タイミング１０５が対応付けられているフィード情報ＵＲＬ以外のフィード情報ＵＲＬは、この参照タイミング１１１で参照される。
【００５９】
図４に示す例によれば、この多機能機１０は、参照タイミング１０５が対応付けられていないフィード情報ＵＲＬ１０２を、「１日毎／ＡＭ０：００（具体的には、毎日ＡＭ０：００）」の参照タイミング１１１で参照して、フィード情報を取得する。
【００６０】
次に、図５を参照して、ＲＡＭ１８の表示情報記憶領域１８ｃ（図２参照）の記憶内容について説明する。図５は、表示情報記憶領域１８ｃの記憶内容の一例を示す。表示情報記憶領域１８ｃは、ＵＲＬ記憶領域２０ｂに記憶されているＵＲＬ毎に表示情報１１２を記憶することが可能である。
【００６１】
具体的には、表示情報記憶領域１８ｃは、ＵＲＬ記憶領域２０ｂに記憶されているサイト毎に表示情報１１２を記憶することが可能である。上述したように、ＵＲＬ記憶領域２０ｂにはｎ個（ｎは１以上の整数）のＵＲＬ１０２が記憶されている（図３参照）。従って、表示情報記憶領域１８ｃにもｎ個の表示情報１１２が記憶されている。各表示情報１１２には、識別番号１１０が付与されている。本実施形態では、識別番号１１０もまた、識別番号１００（図３参照）と同様に、符号「ｉ」で表現する。
【００６２】
個々の表示情報１１２のデータ構成について説明する。表示情報１１２は、サイト情報１２０を含んでいる。サイト情報１２０は、サイトタイトル文字列１２２とフィード更新日時情報１２４を含んでいる。サイトタイトル文字列１２２は、サイトのタイトルの文字列である。サイトのタイトルのことを「サイトの名称」と言い換えることもできる。フィード更新日時情報１２４は、コンテンツ提供サーバにおいてフィード情報が更新された日時（最新の更新日時）に関する情報である。
【００６３】
表示情報１１２は、更新コンテンツ情報１３２を含んでいる。更新コンテンツ情報１３２の数は、サイトが有するコンテンツの数に等しい。例えば、図４では、「ｉ＝０」に対応する表示情報１１２は、ｍ個（ｍは１以上の整数）の更新コンテンツ情報１３２を有する。これは、「ｉ＝０」に対応するサイトがｍ個のコンテンツを有することを意味する。例えば、所定のサイトにおいて天気予報に関するコンテンツとスポーツに関するコンテンツとが存在する場合、そのサイトに対応する表示情報１１２は、２個の更新コンテンツ情報１３２を有することになる。各更新コンテンツ情報１３２には、識別番号１３０が付与されている。本実施形態では、識別番号１３０を符号「ｊ」で表現する。
【００６４】
各更新コンテンツ情報１３２は、コンテンツタイトル文字列１４０とコンテンツ更新日時情報１４２とコンテンツ要約文字列１４４とコンテンツＵＲＬ１４６を含んでいる。上記の例の場合、天気予報に関するコンテンツに対応する更新コンテンツ情報１３２が情報１４０〜１４６を含んでおり、スポーツに関するコンテンツに対応する更新コンテンツ情報１３２も情報１４０〜１４６を含んでいる。
【００６５】
コンテンツタイトル文字列１４０は、コンテンツのタイトルの文字列である。コンテンツのタイトルのことを「コンテンツの名称」と言い換えることもできる。コンテンツ更新日時情報１４２は、コンテンツ提供サーバにおいてコンテンツが更新された日時（最新の更新日時）に関する情報である。コンテンツ要約文字列１４４は、コンテンツが有する文字列が要約化されたものである。換言すると、コンテンツ要約文字列１４４は、コンテンツのタイトルより多い文字列であり、コンテンツの全体の文字列より少ない文字列であり、コンテンツの内容が反映された文字列である。コンテンツＵＲＬ１４６は、コンテンツのＵＲＬである。
【００６６】
次に、図６を参照して、多機能機１０がコンテンツ提供サーバ９０，９１からフィード情報を取得した場合に、表示パネル５０に表示される画面について説明する。図６は、表示パネル５０の表示内容の一例を示す模式図である。
【００６７】
図６（ａ）は、待機状態における表示パネル５０の画面内容の一例を示す模式図である。待機状態における表示パネル５０には、機能（例えば、ＦＡＸ機能や、スキャン機能や、コピー機能など）を選択するためのボタン１６０が表示される。また、待機状態おける表示パネル５０には、表示情報記憶領域１８ｃに記憶されているコンテンツタイトル文字列１６２がテロップ表示される。
【００６８】
コンテンツタイトル文字列１６２がユーザによりタッチされると、そのコンテンツ文字列１６２が表示されているサイトの全てのコンテンツについて、各コンテンツの、コンテンツ更新日時情報（コンテンツ更新日時情報１４２）、及び、コンテンツタイトル文字列（コンテンツタイトル文字列１４０）と、該サイトのサイトタイトル文字列とを含むリスト１７０が表示パネル５０に表示される。
【００６９】
図６（ｂ）は、表示パネル５０にリスト１７０が表示されている画面の一例を示す模式図である。図６（ｂ）に示す例によれば、スポーツに関するコンテンツについて、コンテンツ更新日時情報「１４：３２」とコンテンツタイトル文字列「Ｓｐｏｒｔ・・・」とが表示されている。また、表示パネル５０にリスト１７０が表示されている画面には、リスト表示を終了させるためのボタン１７４が表示される。
【００７０】
表示パネル５０にリスト１７０が表示されている状態において、１のコンテンツタイトル文字列がユーザによりタッチ（選択）すると、タッチされたコンテンツに関する情報が表示パネル５０に表示される。
【００７１】
図６（ｃ）は、リスト１７０の中に含まれるコンテンツの中から１のコンテンツが選択されたことによって表示パネル５０に表示される画面内容の一例を示す模式図である。図５（ｂ）に示す例によれば、表示パネル５０には、サイトタイトル文字列１７２と、コンテンツ更新日時情報１８０と、コンテンツタイトル文字列１８２と、コンテンツ要約文字列１８４と、Ｖｉｅｗボタン１８６とを含む画面が表示される。
【００７２】
図６（ｃ）に示す画面において、Ｖｉｅｗボタン１８６がユーザによって操作されると、コンテンツの内容を閲覧することができる。このとき、ＷＡＮ回線８に接続可能な多機能機（本実施形態では、多機能機１０Ｃ，１０Ｄ）であれば、Ｖｉｅｗボタン１８６が操作された場合に、ブラウザプログラム１６ｅが起動し、コンテンツＵＲＬ１４６におけるコンテンツを表示する。
【００７３】
一方、ＷＡＮ回線８に接続できない多機能機（本実施形態では、多機能機１０Ａ，１０Ｂ）の場合、Ｖｉｅｗボタン１８６が操作されると、ＷＡＮ回線８に接続可能な多機能機（本実施形態では、多機能機１０Ｃ，１０Ｄ）へコンテンツＵＲＬ１４６を送信し、ＷＡＮ回線８に接続可能な多機能機が取得したコンテンツデータの転送を受け、コンテンツの内容を表示するように構成されている。
【００７４】
次に、図７及び図８を参照して、多機能機１０（１０Ａ〜１０Ｄ）のＣＰＵ１４がフィード情報を取得する処理について説明する。詳細は後述するが、本実施形態の多機能機１０は、（１）取得側（二次配布される側）の多機能機が参照タイミング（参照タイミング１０５又は参照タイミング１１１）毎に、二次配布する側の多機能機へアクセスして取得するか、（２）二次配布する側の多機能機がコンテンツ提供サーバ９０，９１からフィード情報を取得したときにシグナルを二次配布する側の多機能機へ送信し、シグナルを受信した多機能機が該二次配布する側の多機能機へアクセスして取得するか、（３）二次配布する側の多機能機がコンテンツ提供サーバ９０，９１から取得したフィード情報を二次配布し、かかる二次配布されたフィード情報を受信することによって取得するかのいずれかの取得方法により、フィード情報を取得するように構成されている。
【００７５】
図７（ａ）は、多機能機１０（１０Ａ〜１０Ｄ）のＣＰＵ１４により実行される第１フィード情報取得処理を示すフローチャートである。この第１フィード情報取得処理は、フィード情報ＵＲＬ１０２にアクセス（接続）してフィード情報を取得する場合の処理であり、独立したタスクとして動作し、フィード情報解析プログラム１６ｂに従って多機能機１０の起動時から実行される。なお、この第１フィード情報取得処理は、独立したタスクとして動作する。
【００７６】
第１フィード情報解析処理が起動されると、ユーザによって設定された、あるいは、プログラムによって決められた参照タイミング（更新時間）に達する毎に、ＮＶＲＡＭ２０のＵＲＬ記憶領域２０ｂに記憶されているフィード情報ＵＲＬ１０２にアクセス（接続）することにより、フィード情報を取得する（Ｓ１１）。
【００７７】
なお、上述した通り、フィード情報ＵＲＬ１０２には、コンテンツ提供サーバ９０，９１のＵＲＬだけでなく、多機能機システム２（ＬＡＮ回線４）内の他の多機能機１０のＵＲＬが含まれている。
【００７８】
よって、多機能機１０は、ＵＲＬ記憶領域２０ｂの内容によっては、コンテンツ提供サーバ９０，９１ではなく、他の多機能機１０にアクセスし、該他の多機能機からフィード情報を取得する。
【００７９】
ここで、他の多機能機１０にアクセスして、フィード情報を取得する場合には、当該他の多機能機１０へ、フィード情報ＵＲＬ１０２を含むフィード情報の送信要求を出力し、フィード情報の送信要求（フィード情報送信要求）を受信した他の多機能機１０にて実行される後述するフィード情報送信要求処理（図７（ｂ）参照）の結果として、当該他の多機能機１０から送信されたフィード情報ＵＲＬ１０２に対応するフィード情報を受け取る。
【００８０】
なお、多機能機１０が、他の多機能機１０から送信されるシグナルに基づいてフィード情報を取得する設定（即ち、方法１０４が「ｓｉａｎａｌ」）や、他の多機能機１０がフィード情報を取得する毎に自動的に送信してくるフィード情報（データ）を受け取る設定（即ち、方法１０４が「ｄａｔａ」）であれば、Ｓ１１において他の多機能機へはアクセスしない。
【００８１】
次いで、取得されたフィード情報を解析することによって、表示情報１１２（図５参照）を作成し、作成した表示情報１１２を表示情報記憶領域１８ｃに記憶させることにより、表示情報記憶領域１８ｃの記憶内容の更新を行う（Ｓ１２）。
【００８２】
Ｓ１２の処理後、ＵＲＬ記憶領域１０２に二次配布先１０３が記憶（登録）されているかを確認し（Ｓ１３）、ＵＲＬ記憶領域１０２に二次配布先１０３が記憶されていなければ（Ｓ１３：Ｎｏ）、Ｓ１１へ戻る。一方、二次配布先１０３があれば（Ｓ１３：Ｙｅｓ）、配布方法１０４を確認する（Ｓ１４）。
【００８３】
Ｓ１４の処理により確認した結果、配布方法１０４が「ｄａｔａ」であれば（Ｓ１４：データ）、Ｓ１１において取得したフィード情報と自動送信であることを示す情報とを二次配布先１０３へ送信し（Ｓ１５）、Ｓ１１へ戻る。
【００８４】
このように、本実施形態の多機能機１０（１０Ａ〜１０Ｄ）は、二次送付先１０３が登録されており、配布方法１０４が「ｄａｔａ」に設定されている場合には、フィード情報をコンテンツ提供サーバ９０，９１から取得すると、自動的に、取得したフィード情報を二次配布先１０３にされている他の多機能機１０へ送信（配布）する。よって、フィード情報を二次配布される側の多機能機１０に、フィード情報を二次配布する側の多機能機１０が取得したタイミングと近いタイミングでフィード情報を取得させることができる。
【００８５】
一方で、Ｓ１４の処理により確認した結果、配布方法１０４が「ｓｉｇｎａｌ」であれば（Ｓ１４：シグナル）、二次配布先１０３へ、どのフィード情報かを特定し得る情報（例えば、サイトタイトル１０１）を含むシグナルを送信し（Ｓ１６）、Ｓ１１へ戻る。
【００８６】
Ｓ１６によりシグナルを送信した結果、二次配布先１０３である多機能機１０が、二次配布する側（即ち、シグナルの発信元）の多機能機１０へアクセスし、該当するフィード情報を取得する。よって、二次配布される側の多機能機１０は、シグナルを受けた後の適当なタイミングでフィード情報を取得することができる。
【００８７】
なお、Ｓ１５又はＳ１６において、二次配布先１０３が複数あれば、全ての二次配布先１０３へデータ（フィード情報）又はシグナルを送信する。
【００８８】
ここで、図７（ｂ）を参照して、他の多機能機１０からフィード情報の送信要求を受信した場合の処理について説明する、図７（ｂ）は、多機能機１０（１０Ａ〜１０Ｄ）のＣＰＵ１４により実行されるフィード情報送信要求受信処理を示すフローチャートである。このフィード情報送信要求受信処理は、フィード情報解析プログラム１６ｂに従う処理の１つである。
【００８９】
フィード情報送信要求受信処理は、他の多機能機１０からフィード情報送信要求を受け取った場合に起動し、まず、フィード情報送信要求に含まれているフィード情報ＵＲＬ１０２が示す位置からフィード情報を取得する（Ｓ１１１）。
【００９０】
Ｓ１１１では、表示情報記憶領域１８ｃ（図５参照）中から、フィード情報ＵＲＬ１０２が示す表示情報１１２を参照し、最近に更新されたフィード情報を取得する。なお、フィード情報送信要求は、フィード情報ＵＲＬ１０２に加えて、参照タイミング（参照タイミング１０５又は参照タイミング１１１）の情報を含むものであってもよく、かかる場合には、Ｓ１１１において、フィード情報ＵＲＬ１０２が示す表示情報１１２の中から、フィード情報送信要求に含まれる参照タイミング１０５，１１１が示す日時以降に追加されたフィード情報を取得するように構成することができる。
【００９１】
Ｓ１１１の処理後、取得したフィード情報を、要求元（フィード情報送信要求の発信元）の多機能機１０へ送信し（Ｓ１１２）、フィード情報送信要求処理を終了する。Ｓ１１２の処理の結果として、フィード情報送信要求の発信元である多機能機１０は、フィード情報を取得することができる。
【００９２】
図８は、多機能機１０（１０Ａ〜１０Ｄ）のＣＰＵ１４により実行される第２フィード情報取得処理を示すフローチャートである。この第２フィード情報取得処理は、他の多機能機１０から送信されるシグナルに基づいてフィード情報を取得する場合、又は、他の多機能機１０がフィード情報を取得する毎に自動的に送信してくるフィード情報（データ）を受け取る場合の処理であり、フィード情報解析プログラム１６ｂに従う処理の１つである。
【００９３】
第２フィード情報取得処理では、まず、他の多機能機から自動送信されたフィード情報又は他の多機能機から送信されたシグナルを受信したか否かを確認する（Ｓ２１）。Ｓ２１の処理により確認した結果、未受信であれば（Ｓ２１：Ｎｏ）、Ｓ２１による確認を続ける。
【００９４】
一方、Ｓ２１の処理により確認した結果、他の多機能機から自動送信されたフィード情報又は他の多機能機から送信されたシグナルを受信した場合には（Ｓ２１：Ｙｅｓ）、受信したものが、他の多機能機から自動送信されたフィード情報（データ）であるか、シグナルであるかを確認する（Ｓ２２）。
【００９５】
Ｓ２２の処理により確認した結果、シグナルの受信であった場合には（Ｓ２２：シグナル）、受信したシグナルには、どのフィード情報に対するシグナルであるかの情報が含まれているので、その情報に基づきＵＲＬ記憶領域２０ｂに記憶される内容からフィード情報ＵＲＬ１０２を特定し、そのフィード情報ＵＲＬ１０２にアクセスして、フィード情報を取得する（Ｓ２３）。
【００９６】
なお、Ｓ２３の処理では、フィード情報ＵＲＬ１０２に対応する他の多機能機１０へ、フィード情報ＵＲＬ１０２を含むフィード情報の送信要求を出力し、フィード情報の送信要求を受信した他の多機能機１０にて実行される上述したフィード情報送信要求処理（図７（ｂ）参照）の結果として、当該他の多機能機１０から送信されたフィード情報ＵＲＬ１０２に対応するフィード情報を受け取る。
【００９７】
このように、本実施形態の多機能機１０（１０Ａ〜１０Ｄ）は、配布方法１０４が「ｓｉｇｎａｌ」に設定されている場合には、他の多機能機１０からシグナルを受信したタイミングで該他の多機能機１０へアクセスし、フィード情報を取得する。他の多機能機１０がシグナルを発信するのは、該他の多機能機１０がコンテンツ提供サーバ９０，９１からフィード情報を取得したタイミングであるので、取得側の多機能機１０は、シグナルを受けた後の適当なタイミングでフィード情報を取得することができ、フィード情報の取り損ねを防止できる。
【００９８】
Ｓ２３の処理後、上述した第１フィード情報取得処理（図７（ａ）参照）におけるＳ１２の処理と同様に、表示情報記憶領域１８ｃの記憶内容の更新を行い（Ｓ２２）、第２フィード情報取得処理を終了する。
【００９９】
一方、他の多機能機から自動送信されたフィード情報（データ）の受信であった場合には（Ｓ２２：データ）、Ｓ２４の処理へ移行し、表示情報記憶領域１８ｃの記憶内容の更新を行って、第２フィード情報取得処理を終了する。
【０１００】
次に、図９（ａ）を参照して、多機能機１０（１０Ａ〜１０Ｄ）のＣＰＵ１４がフィード情報を表示するための表示処理（多機能機表示処理）について説明する。図９（ａ）は、多機能機１０（１０Ａ〜１０Ｄ）のＣＰＵ１４により実行される多機能機表示処理を示すフローチャートである。この多機能機表示処理は、独立したタスクとして動作し、フィード情報表示プログラム１６ｃ（図２参照）に従って多機能機１０の起動時から実行される。
【０１０１】
図９（ａ）に示す多機能機表示処理の説明の前に、多機能機１０（１０Ａ〜１０Ｄ）が取り得る状態について説明する。多機能機１０は、待機状態、機能実行状態等の複数の状態を有する。待機状態では、表示パネル５０に機能を選択するための情報が表示される（表示パネル５０が点灯している）。
【０１０２】
待機状態における表示パネル５０には、機能を選択するためのボタン１６０が表示される（図６（ａ）参照）。ユーザは、ボタン１６０を操作することによって機能実行指示を多機能機１０に入力することができる。ボタン１６０が操作されると、機能実行状態に移行する。機能実行状態では、表示パネル５０に実行中の機能に関する情報（例えばコピー枚数等）が表示される。多機能機１０において実行されている機能が終了すると、待機状態に移行する。
【０１０３】
多機能機表示処理が起動されると、ＮＶＲＡＭ２０のＵＲＬ記憶領域２０ｂに記憶されているＵＲＬ毎（サイト毎）に対応して、ＲＡＭ１８の表示情報記憶領域１８ｃに記憶されているコンテンツタイトル文字列１６２を、表示パネル５０における待機状態の画面に１件ずつ（１コンテンツずつ）順番にテロップ状（例えば、右から左にスクロールしていく状態）に表示する（Ｓ３１）。このときの画面は、例えば、図６（ａ）に示す画面となる。なお、機能実行状態では、コンテンツタイトル文字列１６２の表示は行わない。
【０１０４】
コンテンツタイトル文字列１６２がテロップ表示されている状態（図６（ａ）参照）において、ユーザによりコンテンツタイトル文字列がタッチされると、リスト表示要求イベントが発生し、その場合には、ＲＡＭ１８の表示情報記憶領域１８ｃから、コンテンツ文字列１６２が表示されているサイト（ＲＳＳサイト）のサイト情報と、サイトに対応して記憶されている更新コンテンツ情報１３２を取得し、サイトタイトル文字列１２２と、各コンテンツタイトル文字列１４０と、各コンテンツ更新日時情報１４２とを含むリストデータを作成し、そのリストデータに対応するリスト１７０を表示パネル５０に一覧表示する（Ｓ３２）。このときの画面は、例えば、図６（ｂ）に示す画面となる。
【０１０５】
リスト１７０は、複数のコンテンツ（例えばｍ個のコンテンツ）のそれぞれについて、当該コンテンツのコンテンツ更新日時情報と当該コンテンツのコンテンツタイトル文字列とを含んでいる。
【０１０６】
表示パネル５０にリスト１７０が表示されている状態（図６（ｂ）参照）において、ユーザにより、１のコンテンツ（コンテンツタイトル文字列）が選択（タッチ）された場合、コンテンツ選択操作に関するイベントが発生し、その場合には、ＲＡＭ１８の表示情報記憶領域１８ｃから、選択されたコンテンツに対するサイトタイトル文字列１２２と、当該コンテンツのコンテンツタイトル文字列１４０と、当該コンテンツのコンテンツ更新日時情報１４２と、当該コンテンツのコンテンツ要約文字列１４４とを含む表示データを作成し、その表示データに基づく表示を表示パネル５０に表示する（Ｓ３３）。この結果、サイトタイトル文字列１７２と、コンテンツ更新日時情報１８０と、コンテンツタイトル文字列１８２と、コンテンツ要約文字列１８４と、Ｖｉｅｗボタン１８６とを含む画面が表示パネル５０に表示される（図６（ｃ）参照）。
【０１０７】
Ｓ３３の処理後、Ｖｉｅｗボタン１８６を含む画面が表示パネル５０に表示されている状態（図６（ｃ）参照）において、ユーザによってＶｉｅｗボタン１８６が操作されると、ＷＡＮ回線８へ接続可能か否かを確認する（Ｓ３４）。自身がＷＡＮ回線８へ接続可能であるか否かは、ルータ６からエラー信号を受信したか否かに応じて確認することができる。具体的には、ルータ６からエラー信号を受信しなければ、自身がＷＡＮ回線８へ接続可能であると判別し、ルータ６からエラー信号を受信した場合に、自身がＷＡＮ回線８へ接続できないと判別する。
【０１０８】
Ｓ３４の処理により確認した結果、自身がＷＡＮ回線８へ接続可能であれば（Ｓ３４：Ｙｅｓ）、ＷＡＮ接続プログラム１６ｄに従ってコンテンツＵＲＬ１４６にアクセスして、対応するコンテンツデータを取得し、ブラウザプログラム１６ｅを起動してコンテンツを表示パネル５０に表示する（Ｓ３５）。
【０１０９】
一方で、Ｓ３４の処理により確認した結果、自身がＷＡＮ回線８へ接続できない場合には（Ｓ３４：Ｎｏ）、ユーザにより閲覧が選択されたコンテンツＵＲＬ１４６を、ＷＡＮ回線８に接続可能な他の多機能機１０へ送信し（Ｓ３６）、Ｓ３１の処理へ戻る。
【０１１０】
本実施形態では、表示情報記憶領域１８ｃ（図５参照）に記憶される内容から、コンテンツＵＲＬ１４６に対応するサイトを特定し、ＵＲＬ記憶領域２０ｂに記憶される内容から、そのサイトに対応するフィード情報を提供した多機能機１０を特定し、その多機能機１０へコンテンツＵＲＬ１４６を送信する。なお、多機能機１０が、ＷＡＮ回線８へ接続可能な他の多機能機１０のリストを記憶しており、そのリストの中から１の多機能機１０をコンテンツＵＲＬ１４６の送信先として選択する構成であってもよい。
【０１１１】
Ｓ３６の処理によってコンテンツＵＲＬ１４６が送信されると、そのコンテンツＵＲＬ１４６を受信した多機能機１０は、後述するコンテンツデータ送信処理（図９（ｂ）参照）を実行し、コンテンツＵＲＬ１４６に対応するコンテンツデータを返信するので、Ｓ３６の処理後は、コンテンツＵＲＬ１４６の送信先からコンテンツデータを受信したかを確認する（Ｓ３７）。
【０１１２】
Ｓ３７の処理により確認した結果、未受信であれば（Ｓ３７：Ｎｏ）、Ｓ３７による確認を続ける。そして、コンテンツＵＲＬ１４６の送信先からコンテンツデータを受信した場合には（Ｓ３７：Ｙｅｓ）、ブラウザプログラム１６ｅを起動して、受信したコンテンツデータの内容を表示パネル５０に表示し（Ｓ３８）、Ｓ３１の処理へ戻る。
【０１１３】
ここで、図９（ｂ）を参照して、他の多機能機１０からコンテンツＵＲＬを受信した場合の処理について説明する、図９（ｂ）は、多機能機１０（１０Ａ〜１０Ｄ）のＣＰＵ１４により実行されるコンテンツデータ送信処理を示すフローチャートである。このコンテンツデータ送信処理は、フィード情報表示プログラム１６ｃに従う処理の１つである。
【０１１４】
コンテンツデータ送信処理は、他の多機能機１０からコンテンツＵＲＬ１４６を受け取った場合に起動し、まず、受信したコンテンツＵＲＬ１４６にアクセスし、コンテンツデータ（コンテンツの内容）を取得する（Ｓ１３１）。
【０１１５】
Ｓ１３１の処理後、取得したコンテンツデータを、要求元（即ち、コンテンツＵＲＬ１４２の発信元）の多機能機１０へ送信し（Ｓ１１２）、フィード情報送信要求処理を終了する。Ｓ１１２の処理の結果として、コンテンツＵＲＬ１４２の発信元である多機能機１０は、コンテンツデータを得ることができ、その内容を表示パネル５０に表示することができる。
【０１１６】
コンテンツＵＲＬ１４２は、ＷＡＮ回線８上のコンテンツ提供サーバ９０，９１内におけるコンテンツの格納位置を示すアドレスであるので、ＷＡＮ回線８に接続できないよう設定されている多機能機１０（本実施形態では、多機能機１０Ａ，１０Ｂ）は、フィード情報の中に閲覧を所望するコンテンツがあったとしても、対応するコンテンツＵＲＬ１４２へアクセスすることができないので、コンテンツ提供サーバ９０，９１からコンテンツデータを直接取得することができない。
【０１１７】
しかし、本実施形態の多機能機システム２及び多機能機１０によれば、ＷＡＮ回線８に接続できず、コンテンツ提供サーバ９０，９１からコンテンツデータを得ることができない多機能機１０であっても、ＷＡＮ回線８に接続できるよう設定されている他の多機能機１０（本実施形態では、多機能機１０Ｃ又は多機能機１０Ｄ）へコンテンツＵＲＬ１４２を送信することにより、他の多機能機１０を介してコンテンツデータを得ることができるので、閲覧を所望するコンテンツを表示パネル５０に表示させることができる。
【０１１８】
次に、図１０を参照して、多機能機１０（１０Ａ〜１０Ｄ）においてフィード情報ＵＲＬ１０２をＵＲＬ記憶領域２０ｂに登録する方法について説明する。図１０は、多機能機１０のＣＰＵ１４により実行されるＵＲＬ登録プログラム１６ｆに従うフィード情報ＵＲＬ登録処理を示すフローチャートである。
【０１１９】
このフィード情報ＵＲＬ登録処理は、ユーザがフィード情報ＵＲＬ１０２の登録を所望し、所定の操作を行った場合に起動する処理であり、起動すると、まず、多機能システム２（即ち、ＬＡＮ回線４内）に存在する他の多機能機１０のＵＲＬ記憶領域２０ｂの内容と各フィード情報が格納される格納位置とを検索する（Ｓ５１）。
【０１２０】
この検索に基づいて、他の多機能機のＵＲＬ記憶領域２０ｂに記憶されるフィード情報ＵＲＬのリスト（ＵＲＬ記憶領域２０ｂに記憶される内容（図３（ａ）参照））を取得する（Ｓ５２）。次いで、取得したフィード情報ＵＲＬリストの情報ＩＤ、提供元の多機能機、及び、各フィード情報が格納される格納位置を対応付けて、取得リストメモリ１８ｄに記憶する（Ｓ５３）。
【０１２１】
Ｓ５３の処理後、多機能機１０における登録モードを確認する（Ｓ５４）。この登録モードには、取得したフィード情報ＵＲＬリストに含まれる全てのフィード情報ＵＲＬリストを自動的に登録する自動モードと、取得したフィード情報ＵＲＬリストの中から登録を所望するフィード情報ＵＲＬをユーザが選択できるユーザ選択モードとがあり、いずれの登録モードとするかは、ユーザが所定の操作を行うことによって適宜選択することができる。
【０１２２】
Ｓ５４の処理により確認した結果、登録モードがユーザ選択モードであれば（Ｓ５４：ユーザ選択）、取得したフィード情報ＵＲＬリストの内容を表示パネル５０にリスト表示する（Ｓ５５）。フィード情報ＵＲＬリストの内容を表示パネル５０にリスト表示したことにより、ユーザは登録を所望するフィード情報ＵＲＬを適宜タッチすることにより選択することができる。Ｓ５５の処理後、ユーザによって選択された１又は複数のフィード情報ＵＲＬを選択メモリ１８ｅに記憶し（Ｓ５６）、Ｓ５７の処理へ移行する。
【０１２３】
一方、Ｓ５４の処理により確認した結果、登録モードが自動モードであれば（Ｓ５４：自動）、フィード情報ＵＲＬリストに含まれるフィード情報ＵＲＬの全てを選択メモリ４８ｅに記憶し（Ｓ６４）、Ｓ５７の処理へ移行する。
【０１２４】
Ｓ５７では、選択メモリ１８ｅに記憶されているフィード情報ＵＲＬに対し、後述するＳ５８〜Ｓ６３の処理が実行されたかを確認する（Ｓ５７）。このとき、未だ全て終了していなければ（Ｓ５７：Ｎｏ）、選択メモリ１８ｅから１のフィード情報ＵＲＬを選択する（Ｓ５８）。
【０１２５】
Ｓ５８の処理後、選択されたフィード情報ＵＲＬが、ＷＡＮ回線８上の位置を示すＵＲＬか、即ち、スキームが「ｍｆｃ」以外のスキーム（例えば、「ｈｔｔｐ」など）であるかを確認する（Ｓ５９）。
【０１２６】
Ｓ５９の処理により確認した結果、選択されたフィード情報ＵＲＬが、ＷＡＮ回線８上の位置を示すＵＲＬでなければ、即ち、スキームが「ｍｆｃ」であれば（Ｓ５９：Ｎｏ）、Ｓ５７の処理へ戻る。
【０１２７】
一方、Ｓ５９の処理により確認した結果、選択されたフィード情報ＵＲＬが、ＷＡＮ回線８上の位置を示すＵＲＬであれば、即ち、スキームが「ｈｔｔｐ」などのスキームであれば（Ｓ５９：Ｙｅｓ）、自身のＵＲＬ記憶領域２０ｂに記憶されているフィード情報ＵＲＬ１０２かを確認する（Ｓ６０）。
【０１２８】
Ｓ６０の処理により確認した結果、選択されたフィード情報ＵＲＬが、自身のＵＲＬ記憶領域２０ｂに記憶されている場合には、（Ｓ６０：Ｙｅｓ）、選択されたフィード情報ＵＲＬの登録は不要であるので、Ｓ５７の処理へ戻る。
【０１２９】
一方、Ｓ６０の処理により確認した結果、選択されたフィード情報ＵＲＬが、自身のＵＲＬ記憶領域２０ｂに記憶されていない場合には（Ｓ６０：Ｎｏ）、ＷＡＮ回線８へ接続可能か否かを確認する（Ｓ６１）。ＷＡＮ回線８へ接続可能か否かの確認は、上述した多機能機表示処理（図９（ａ）参照）におけるＳ３４の処理と同様に行う。
【０１３０】
Ｓ６１の処理により確認した結果、自身がＷＡＮ回線８へ接続可能であれば（Ｓ６１：Ｙｅｓ）、選択中のフィード情報ＵＲＬをフィード情報ＵＲＬ１０２として、自身のＵＲＬ記憶領域２０ｂに登録する（Ｓ６２）。このとき、対応するタイトルもＵＲＬ記憶領域２０ａにタイトル１０１として登録する。Ｓ６３の処理後、Ｓ５７の処理へ戻る。
【０１３１】
一方で、Ｓ６１の処理により確認した結果、自身がＷＡＮ回線８へ接続できない場合には（Ｓ６１：Ｎｏ）、他の多機能機１０を介してフィード情報を得ることができるよう、後述する登録設定処理を実行して（Ｓ６３）、Ｓ５７の処理へ戻る。なお、登録設定処理（Ｓ６２）の詳細については、図１１（ａ）を参照して説明する。
【０１３２】
また、Ｓ５７の処理により確認した結果、選択メモリ１８ｅに記憶されている全てのフィード情報ＵＲＬに対して処理が実行されていれば（Ｓ５７：Ｙｅｓ）、フィード情報ＵＲＬ登録処理を終了する。
【０１３３】
次に、図１１（ａ）を参照して、自身がＷＡＮ回線８へ接続できない場合に実行される上述の登録設定処理（Ｓ６３）について説明する。図１１（ａ）は、フィード情報ＵＲＬ登録処理（図１０参照）の中で実行される登録設定処理（Ｓ６３）を示すフローチャートである。
【０１３４】
この登録設定処理（Ｓ６２）では、まず、選択中のフィード情報ＵＲＬに対応する提供元である他の多機能機１０において、選択中のフィード情報ＵＲＬへのアクセスによって取得したフィード情報が格納される格納位置をフィード情報ＵＲＬ１０２としてＵＲＬ記憶領域２０ａに登録する（Ｓ７１）。このとき、対応するタイトルもＵＲＬ記憶領域２０ａにタイトル１０１として登録する。
【０１３５】
次いで、自身の取得方法の設定に応じて方法１０４を設定し、取得方法に応じた配布命令を提供元の多機能機１０へ送信する（Ｓ７２）。この配布命令は、提供元の多機能機へ、該当するフィード情報ＵＲＬを自身に二次配布する指示する命令である。このＳ７２の処理の結果、フィード情報の提供元となる多機能機１０（即ち、配布命令を受信した多機能機１０）は、配布命令の発信元である多機能機１０へ該当するフィード情報を、指示された取得方法によって二次配布する。
【０１３６】
Ｓ７２の処理後、自身がフィード情報ＵＲＬ毎に専用の参照タイミング１０５を設定できる機種であるかを確認する（Ｓ７３）。Ｓ７３の処理により確認した結果、設定できる機種であれば（Ｓ７３：Ｙｅｓ）、提供元の多機能機１０から受信した参照タイミングに基づき、提供元の多機能機１０の参照タイミングの所定期間後（例えば、５分後）を、提供元の多機能機１０を参照する参照タイミング１０５として設定し（Ｓ７４）、登録設定処理（Ｓ６３）を終了する。
【０１３７】
このように、フィード情報の二次配布を受けることになった多機能機１０の参照タイミングを、二次配布する側の多機能機１０（即ち、提供元の多機能機１０）の参照タイミングより遅いタイミングにすることによって、フィード情報の二次配布を確実に受けることができ、フィード情報の取り損ねを防止することができる。
【０１３８】
一方、Ｓ７３の処理により確認した結果、自身がフィード情報ＵＲＬ毎に専用の参照タイミング１０５を設定できる機種でなければ（Ｓ７３：Ｎｏ）、Ｓ７４の処理をスキップして、登録設定処理（Ｓ６３）を終了する。
【０１３９】
ここで、図１１（ｂ）を参照して、他の多機能機１０から配布命令を受信した場合に実行する登録変更処理について説明する。図１１（ｂ）は、多機能機１０（１０Ａ〜１０Ｄ）のＣＰＵ１４により実行される登録変更処理を示すフローチャートである。この登録変更処理は、ＵＲＬ登録プログラム１６ｆに従う処理である。
【０１４０】
この登録変更処理は、他の多機能機１０から配布命令を受信した場合に起動し、受信した配布命令に基づき、ＵＲＬ記憶領域２０ｂから該当するフィード情報ＵＲＬを検索し（Ｓ１７１）、該当するフィード情報ＵＲＬに対し、配布命令の発信元の多機能機を二次配布先１０３として設定する（Ｓ１７２）。
【０１４１】
Ｓ１７２の処理後、受信した配布命令に含まれる相手の多機能機の取得方法に応じて配布方法を設定する（Ｓ１７３）。Ｓ１７３の処理では、相手の多機能機の取得方法が、相手の多機能機の取得方法が、シグナルを受信した後にフィード情報を取得するものであれば、対応する方法１０４を「ｓｉｇｎａｌ」に設定し、他の多機能機１０から自動的（強制的）に送信されてくるフィード情報を取得するものであれば、対応する方法１０４を「ｄａｔａ」に設定する。なお、相手の多機能機の取得方法が、参照タイミング毎に他の多機能機１０へアクセスしてフィード情報を取得するものであった場合には、方法１０４は空欄のままとする。
【０１４２】
Ｓ１７３の処理後、該当するフィード情報ＵＲＬに対応する参照タイミング（参照タイミング１０５又は参照タイミング１１１）を、配布命令の発信元の多機能機１０へ送信し（Ｓ１７４）、登録設定処理（Ｓ６３）を終了する。
【０１４３】
以上説明したように、本実施形態の多機能機システム２及び多機能機１０（１０Ａ〜１０Ｄ）によれば、自身がＷＡＮ回線８に接続できないように設定されている多機能機１０（本実施形態では、多機能機１０Ａ，１０Ｂ）であっても、ＷＡＮ回線８に接続可能な多機能機１０（本実施形態では、多機能機１０Ｃ，１０Ｄ）を介してフィード情報を取得することができる。
【０１４４】
そのため、多機能機システム２を構成する多機能機１０（本実施形態では、１０Ａ〜１０Ｄ）の全てをＷＡＮ回線８に接続する必要がない。よって、ＷＡＮ回線８に接続可能な多機能機１０の数を減らすことができるので、ＷＡＮ回線８側からの不正アクセスの可能性が低減され、その結果として、ＬＡＮ回線４内のセキュリティを向上させることができる。
【０１４５】
また、ＷＡＮ回線８に接続可能な多機能機１０の数を減らした場合、多機能機システム２に含まれる全ての多機能機１０が個々にコンテンツ提供サーバ９０，９１にアクセスしてフィード情報を取得する場合に比べ、回線負荷を軽減することができる。
【０１４６】
また、本実施形態の多機能機システム２及び多機能機１０（１０Ａ〜１０Ｄ）によれば、検索により得られた他の多機能機１０が取得可能なフィード情報に基づいて、自身が取得するフィード情報を登録することができる。よって、フィード情報ＵＲＬ１０２を１つ１つに登録する必要がなく、フィード情報ＵＲＬ１０２を容易に登録することができる。特に、自身がＷＡＮ回線８に接続できない場合には、所望のフィード情報を取得可能な他の情報取得装置を探す必要もなくなるので、好都合である。
【０１４７】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【０１４８】
例えば、上記実施形態では、多機能機システム２に含まれるデバイスとして多機能機１０（１０Ａ〜１０Ｄ）を例示したが、多機能機１０と同様にフィード情報ＵＲＬへアクセスして該アクセス先からフィード情報を取得できるＲＳＳリーダ（例えば、ＰＣ）を多機能機システム２に含まれるデバイスとして使用できる。その場合には、そのＲＳＳリーダが、図２〜図５に示すメモリ構成と同様のメモリ構成を有し、図７〜図１１に示すフローチャートと同様の処理を実行可能なプログラムを有していればよい。
【０１４９】
また、上記実施形態では、多機能機１０Ａは、他の多機能機からフィード情報ＵＲＬのリストを取得し、そのリストを元にフィード情報ＵＲＬを登録する構成としたが、多機能機１０Ａのキーパッド５２や表示パネル５０のタッチパネル機能を用いて、所望するフィード情報ＵＲＬをユーザが入力する構成としてもよい。
【０１５０】
また、上記実施形態における図９（ａ）のＳ３４及び図１０のＳ６１では、自身がＷＡＮ回線８に接続できるか否かの判別を、ルータ６からエラー信号を受信したか否かに応じて行ったが、ＷＡＮ回線８側へパケットを送出したが、ＷＡＮ回線８側へパケットを送出したが返信がなかった回数が所定回数を超えた場合に行うものであってもよい。また、管理者により必要に応じて書き換えられる記憶内容に基づいて、自身がＷＡＮ回線８に接続できるか否かを判別する構成であってもよい。
【０１５１】
なお、上記実施形態では、ルータ６の設定に応じて、多機能機１０Ａ〜１０Ｄの一部をＷＡＮ回線８に接続できないようにする構成であったが、ＷＡＮ回線８に接続させない多機能機１０にルータ６のアドレスを設定しない構成（即ち、ルータ６にアクセスできない構成）であってもよい。かかる場合には、ルータ６のアドレスが設定されているか否かに応じて、自身がＷＡＮ回線８に接続できるか否かの判別を行うことができる。
【０１５２】
あるいは、ＷＡＮ回線８に接続させない多機能機１０に対し、「ＷＡＮ回線８に接続しない」設定を記憶し、ＷＡＮ回線８上の位置を示すスキームが入力された場合に、その入力を無視する構成としてもよい。かかる場合には、「ＷＡＮ回線８に接続しない」設定が記憶されているか否かに応じて、自身がＷＡＮ回線８に接続できるか否かの判別を行うことができる。
【０１５３】
また、上記実施形態におけるフィード情報ＵＲＬ登録処理（図１０参照）では、Ｓ５１において、多機能機システム２に存在する他の多機能機１０のＵＲＬ記憶領域２０ｂに記憶されるフィード情報ＵＲＬ１０２を検索し、Ｓ５９において、取得したフィード情報ＵＲＬ１０２がＷＡＮ回線８上の位置を示すＵＲＬであるか否かを確認する構成とした。これに換えて、Ｓ５１において検索を行う場合に、ＷＡＮ回線８に接続できない他の多機能機１０を除外して検索する構成としてもよい。
【０１５４】
例えば、各多機能機１０毎に、自身がＷＡＮ回線８に接続できるか否かを示す情報（接続情報）を記憶しており、Ｓ５１において検索を行う前に、他の多機能機１０から取得した接続情報に基づいて、ＷＡＮ回線８に接続できない他の多機能機１０を検索しないようにすることができる。
【０１５５】
なお、各多機能機１０の検索情報は、例えば、ルータ６から受信したエラー信号や、ＷＡＮ回線８側へパケットを送出したが返信がなかった回数に基づいて設定することができる。即ち、ルータ６からエラー信号を受信した場合や、ＷＡＮ回線８側へパケットを送出したが返信がなかった回数が所定回数を超える場合に、自身がＷＡＮ回線８に接続できないとする検索情報を記憶し、その一方で、ルータ６からエラー信号を受信しなくなった場合や、ＷＡＮ回線８側へパケットを送出したが返信がなかった回数が所定回数以下となった場合に、自身がＷＡＮ回線８に接続可能であるとする検索情報を記憶する。
【０１５６】
または、各多機能機１０の検索情報は、ルータ６のアドレスが設定されているか否かに応じて設定することができる。即ち、ルータ６のアドレスが設定されていなければ、自身がＷＡＮ回線８に接続できないとする検索情報を記憶し、その一方で、ルータ６のアドレスが設定されていれば、自身がＷＡＮ回線８に接続可能であるとする検索情報を記憶する。
【０１５７】
あるいは、各多機能機１０の検索情報は、「ＷＡＮ回線８に接続しない」設定がされているか否かに応じて設定することができる。即ち「ＷＡＮ回線８に接続しない」設定がされていれば、自身がＷＡＮ回線８に接続できないとする検索情報を記憶し、その一方で、「ＷＡＮ回線８に接続する」設定がされていれば、自身がＷＡＮ回線８に接続可能であるとする検索情報を記憶する。
【０１５８】
また、上記実施形態におけるフィード情報ＵＲＬ登録処理（図９参照）によれば、ＷＡＮ回線８に接続できるか否かを確認する処理（Ｓ６１）に先立って、多機能機システム２に存在する他の多機能機１０のＵＲＬ記憶領域２０ｂに記憶されるフィード情報ＵＲＬ１０２を検索する（Ｓ５１）構成としたが、ＷＡＮ回線８に接続できないと判別された場合に、多機能機システム２に存在する他の多機能機１０のＵＲＬ記憶領域２０ｂに記憶されるフィード情報ＵＲＬ１０２の検索を行う構成としてもよい。
【０１５９】
また、上記実施形態では、ＷＡＮ回線８に接続できない他の多機能機１０からコンテンツＵＲＬ１４２を受信した場合に、コンテンツ提供サーバ９０，９１から取得したコンテンツデータを返信する構成としたが、自身の表示パネル５０にコンテンツの内容を表示する構成としてもよい。
【０１６０】
なお、ＷＡＮ回線８に接続可能であり、かつ、比較的大きい画面（例えば、１７インチ以上の画面）を有するディスプレイを有するＲＳＳリーダ（例えば、ＰＣや、液晶テレビなど）が、多機能機システム２を構成する１のデバイスとして含まれている場合には、多機能機表示処理（図８参照）のＳ３６の処理において、そのようなＲＳＳリーダにコンテンツＵＲＬ１４２を送信し、比較的大きい画面にコンテンツを表示させる構成とすることが好ましい。
【０１６１】
多機能機１０の表示パネル５０は、比較的小さい画面（例えば、６インチ以下）として構成されることが一般的であるので、コンテンツの全体を表示するのは難しいが、比較的大きい画面を有するＲＳＳリーダへコンテンツＵＲＬ１４２を送信することにより、コンテンツの視認性が良くなる。
【０１６２】
あるいは、ＷＡＮ回線８に接続可能であり、かつ、比較的大きい画面を有するディスプレイを有するＲＳＳリーダが、多機能機システム２を構成する１のデバイスとして含まれている場合には、Ｓ３４の判断を行うことなく、即ち、ＷＡＮ回線８に接続可能であるか否かにかかわらず、比較的大きい画面を有するＲＳＳリーダへコンテンツＵＲＬ１４２を送信する構成としてもよい。
【０１６３】
また、上記実施形態では、ＷＡＮ回線８に接続できない多機能機１０は、ＷＡＮ回線８に接続可能な多機能機１０から二次配布されるフィード情報を取得する構成としたが、ＷＡＮ回線８に接続できない多機能機１０からｎ次配布（ｎ≧３）されるフィード情報を取得する構成であってもよい。かかる場合には、図１０のＳ５９を省略すればよい。また、図１０のＳ６０において、自身のＵＲＬ記憶領域２０ｂに記憶されているか否かの確認は、タイトル１０１を比較することによって行うことができる。
【０１６４】
なお、上記実施形態における用語「コンテンツ」を「サイト内の複数の情報のうちの１つの情報」と言い換えてもよい。ここで、「複数の情報」のそれぞれは、１のＵＲＬに対応している。従って、用語「コンテンツ」を「サイト内の１つのＵＲＬに対応している情報」と言い換えることもできる。
【０１６５】
また、フィード情報（コンテンツ要約情報）は、サイト情報を含んでいてもよい。サイト情報は、サイトのタイトルを含んでいてもよい。フィード情報は、複数のコンテンツのそれぞれについて、当該コンテンツのタイトル文字列と当該コンテンツのＵＲＬとを含んでいてもよい。コンテンツ要約情報は、複数のコンテンツのそれぞれについて、当該コンテンツが更新された日時を示す情報を含んでいてもよい。コンテンツ要約情報は、複数のコンテンツのそれぞれについて、当該コンテンツの文字列が要約された要約文字列を含んでいてもよい。要約文字列は、コンテンツのタイトルより多い文字列であって、コンテンツの全体の文字列より少ない文字列であってもよい。
【図面の簡単な説明】
【０１６６】
【図１】本発明における通信システムの一実施形態である多機能機システムを示す概略図である。
【図２】多機能機の構成を示すブロック図である。
【図３】ＵＲＬ記憶領域の記憶内容の一例を示す模式図である。
【図４】ＲＳＳ設定情報記憶領域の記憶内容の一例を示す模式図である。
【図５】表示情報記憶領域の記憶内容の一例を示す。
【図６】表示パネルの表示内容の一例を示す模式図である。
【図７】（ａ）は、多機能機のＣＰＵにより実行される第１フィード情報取得処理を示すフローチャートであり、（ｂ）は、多機能機のＣＰＵにより実行されるフィード情報送信要求受信処理を示すフローチャートである。
【図８】多機能機のＣＰＵにより実行される第２フィード情報取得処理を示すフローチャートである。
【図９】（ａ）は、多機能機のＣＰＵにより実行される多機能機表示処理を示すフローチャートであり、多機能機のＣＰＵにより実行されるコンテンツデータ送信処理を示すフローチャートである。
【図１０】多機能機のＣＰＵにより実行されるフィード情報ＵＲＬ登録処理を示すフローチャートである。
【図１１】（ａ）は、図１０のフィード情報ＵＲＬ登録処理の中で実行される登録設定処理を示すフローチャートであり、（ｂ）は、多機能機のＣＰＵにより実行される登録変更処理を示すフローチャートである。
【符号の説明】
【０１６７】
２                    多機能機システム（情報取得システムの一例）
４                    ＬＡＮ回線
８                    ＷＡＮ回線
１０                  多機能機（情報取得装置の一例）
１６ｆ                ＵＲＬ登録プログラム（情報取得プログラムの一例）
２０ｂ                ＵＲＬ記憶領域（記憶手段）
Ｓ１１                情報取得手段の一例、情報取得ステップの一例
Ｓ１５                コンテンツ要約情報供給手段の一例
Ｓ２１                通知待機手段の一例
Ｓ２２：Ｙｅｓ        情報取得手段の一例、情報取得ステップの一例
Ｓ２３                情報取得手段の一例、情報取得ステップの一例
Ｓ５１                検索手段の一例、検索ステップの一例
Ｓ５６，Ｓ６４        対象設定手段の一例、対象設定ステップの一例
Ｓ６１                判別手段の一例、判別ステップの一例
Ｓ６２                第２の取得設定手段の一例、第２の取得設定ステップの一例、
Ｓ６３                第１の取得設定手段の一例、第１の取得設定ステップの一例
Ｓ７４                タイミング取得手段の一例、タイミング設定手段の一例
【図１】
2010113438.tif 000003
【図２】
2010113438.tif 000004
【図３】
2010113438.tif 000005
【図４】
2010113438.tif 000006
【図５】
2010113438.tif 000007
【図６】
2010113438.tif 000008
【図７】
2010113438.tif 000009
【図８】
2010113438.tif 000010
【図９】
2010113438.tif 000011
【図１０】
2010113438.tif 000012
【図１１】
2010113438.tif 000013